(57)【要約】      （修正有）【課題】  体腔内の画像と、ラジオカプセルの姿勢との関係を明らかにすることができるラジオカプセルシステムを提供する。【解決手段】  ラジオカプセルは、生体情報を収集する生体情報収集手段と、姿勢を検出する姿勢検出手段と、生体情報収集手段の動作を制御する制御信号を受信する受信手段と、生体情報収集手段によって収集された生体情報、及び、姿勢検出手段によって得られた姿勢情報を送信する送信手段と、を備え、体外ユニットは、送信された信号を受信する複数の受信アンテナからなる受信アンテナアレイと、アンテナアレイで受信した信号を復調し、ラジオカプセルの動作を制御する制御信号を生成する受信モジュールと、ラジオカプセルに対して制御信号を送信する送信アンテナからなる送信アンテナアレイと、ラジオカプセルから送信される生体情報と姿勢情報を記憶するデバイスと、受信モジュールに電力を供給する電源と、を備える。【選択図】  図４
2006239053.tif 000002
【特許請求の範囲】
【請求項１】
生体内に留置され、生体情報を収集するラジオカプセル及び体外ユニットを有するラジオカプセルシステムであって、
前記ラジオカプセルは、
生体情報を収集する生体情報収集手段と、
前記ラジオカプセルの姿勢を検出する姿勢検出手段と、
前記生体情報収集手段の動作を制御する制御信号を受信する受信手段と、
前記生体情報収集手段によって収集された生体情報、及び、前記姿勢検出手段によって得られた姿勢情報を送信する送信手段と、を備え、
前記体外ユニットは、
前記ラジオカプセルから送信された信号を受信する複数の受信アンテナからなる受信アンテナアレイと、
前記アンテナアレイで受信した信号を復調し、前記ラジオカプセルの動作を制御する制御信号を生成する受信モジュールと、
前記ラジオカプセルに対して前記制御信号を送信する送信アンテナからなる送信アンテナアレイと、
前記ラジオカプセルから送信される生体情報と姿勢情報を記録するデバイスと、
前記受信モジュールに電力を供給する電源と、
を備えることを特徴とするラジオカプセルシステム。
【請求項２】
前記姿勢検出手段は３軸加速度センサを備える請求項１記載のラジオカプセルシステム。
【請求項３】
前記姿勢検出手段は、重力方向に対する前記ラジオカプセルの姿勢を検出する請求項１又は請求項２記載のラジオカプセルシステム。
【請求項４】
前記ラジオカプセルはカプセル内視鏡であって、前記生体情報収集手段はイメージセンサである請求項１〜３のいずれか１項記載のラジオカプセルシステム。
【請求項５】
生体内に留置され、生体情報を収集するラジオカプセルであって、
生体情報を収集する生体情報収集手段と、
前記ラジオカプセルの姿勢を検出する姿勢検出手段と、
前記生体情報収集手段の動作を制御する制御信号を受信する受信手段と、
前記生体情報収集手段によって収集された生体情報、及び、前記姿勢検出手段によって得られた姿勢情報を送信する送信手段と、
を備えることを特徴とするラジオカプセル。
【発明の詳細な説明】
【技術分野】
【０００１】
本発明は、生体内に留置されるラジオカプセル、及び、このラジオカプセルと、ラジオカプセルと送受信可能な体外ユニットと、を有するラジオカプセルシステムに関する。
【背景技術】
【０００２】
体腔内の温度やｐＨ値等の物理量の長時間にわたる測定や観察を行うために、センサと小型発信器とを備え、生体内に留置されて生体内の生体情報を無線によって体外に伝送するラジオカプセルが知られている。このラジオカプセルの位置検出のために、Ｘ線透視を利用するシステムや、ラジオカプセルから送信された情報を受信する複数の受信アンテナを有する体外ユニット（特許文献１）を備えたシステムがあった。
【特許文献１】特開２００１−４６３５７号公報
【発明の開示】
【発明が解決しようとする課題】
【０００３】
しかしながら、上述の従来のシステムでは、ラジオカプセルの位置を知ることはできても、その姿勢を知ることができないため、ラジオカプセルが体腔内でどちらを向いているかが分からなかった。このため、所望の位置にラジオカプセルを配置できたとしても、生体情報がどの部分から得られたのかを特定することができなかった。また、体壁内面に対するラジオカプセルの姿勢と、重力方向に対するラジオカプセルの姿勢との関係を明らかにしたいとの要請が高まりつつある。
【課題を解決するための手段】
【０００４】
上記課題を解決するために、本発明のラジオカプセルシステムは、生体内に留置され、生体情報を収集するラジオカプセル及び体外ユニットを有するラジオカプセルシステムであって、ラジオカプセルは、生体情報を収集する生体情報収集手段と、ラジオカプセルの姿勢を検出する姿勢検出手段と、生体情報収集手段の動作を制御する制御信号を受信する受信手段と、生体情報収集手段によって収集された生体情報、及び、姿勢検出手段によって得られた姿勢情報を送信する送信手段と、を備え、体外ユニットは、ラジオカプセルから送信された信号を受信する複数の受信アンテナからなる受信アンテナアレイと、アンテナアレイで受信した信号を復調し、ラジオカプセルの動作を制御する制御信号を生成する受信モジュールと、ラジオカプセルに対して制御信号を送信する送信アンテナからなる送信アンテナアレイと、ラジオカプセルから送信される生体情報と姿勢情報を記憶するデバイスと、受信モジュールに電力を供給する電源と、を備えることを特徴としている。
【０００５】
また、本発明のラジオカプセルは、生体内に留置され、生体情報を収集するラジオカプセルであって、生体情報を収集する生体情報収集手段と、ラジオカプセルの姿勢を検出する姿勢検出手段と、生体情報収集手段の動作を制御する制御信号を受信する受信手段と、生体情報収集手段によって収集された生体情報、及び、姿勢検出手段によって得られた姿勢情報を送信する送信手段と、を備えることを特徴としている。
【０００６】
上記姿勢検出手段は３軸加速度センサを備えることが好ましく、重力方向に対するラジオカプセルの姿勢を検出することができるとよい。
【０００７】
上記ラジオカプセルはカプセル内視鏡であって、上記生体情報収集手段はイメージセンサであることが好ましい。
【発明の効果】
【０００８】
本発明によると、姿勢検出手段を備えたことにより、所定方向に対するラジオカプセルの姿勢（傾斜）を知ることができる。さらに、ラジオカプセルで取得した体腔内の画像情報と、姿勢検出手段によって得たラジオカプセルの姿勢情報と、により、体壁内面に対するラジオカプセルの姿勢を知ることができる。また、体壁内面の重力方向に対する傾きを知ることができる。
【発明を実施するための最良の形態】
【０００９】
以下、本発明に係る実施形態を図面を参照しつつ詳しく説明する。
本実施形態に係るラジオカプセルシステムは、ラジオカプセルとしてのカプセル内視鏡１０（図１）と、ベスト型の体外ユニット３０（図２）を有するものであるが、本発明は、本実施形態のようなカプセル内視鏡及びベスト型体外ユニットに限られず、例えば体腔内壁の画像以外の生体情報を検出するセンサを備えたラジオカプセルやショルダーバック型の体外ユニットにより構成することもできる。
【００１０】
図１に示すカプセル内視鏡（ラジオカプセル）１０は、生体（被検体）内に留置されたときに体腔内壁の画像情報（生体情報）を電気信号に変換するイメージセンサ（生体情報収集手段）１１、体腔内壁を照明するためのＬＥＤ（光源）１２、カプセル内視鏡の姿勢を検出する姿勢検出回路（姿勢検出手段）１３、イメージセンサ１１及びＬＥＤ１２の動作を制御する制御信号を受信する受信アンテナ（受信手段）１４、少なくともイメージセンサ１１によって変換された電気信号（画像情報（生体情報））、及び、姿勢検出回路１３によって得られた検出信号（姿勢情報）を送信する送信アンテナ（送信手段）１５を有する。
【００１１】
イメージセンサ１１としては、例えば、ＣＣＤ（Charge Coupled Device）やＣＭＯＳ（Complementary Metal-Oxide Semiconductor）センサを用いることができる。受信アンテナ１４で受信された制御信号は、復調された後に制御回路１６に入力され、イメージセンサ１１に対しては撮影の開始及び停止を制御するための信号が、ＬＥＤ１２に対しては出射光の光量を制御するための信号が、それぞれ出力される。このカプセル内視鏡１０のイメージセンサ１１、ＬＥＤ１２、姿勢検出回路１３、及び制御回路１６には、バッテリー１７から電力が供給されている。
【００１２】
図２に示す体外ユニット３０は、体内にカプセル内視鏡１０が留置される患者（被検体）が装着するベスト型であって、ベスト本体３１の正面側には、受信アンテナアレイ３３、受信モジュール３４、着脱可能なメモリ３５（記録デバイス）、及び、電源３６が配置されている（図２（ａ））。ベスト本体３１の背面側には、送信アンテナ３７からなる送信アンテナアレイ３８が備えられている（図２（ｂ））。
【００１３】
受信アンテナアレイ３３は、カプセル内視鏡１０から送信された信号を受信する複数の受信アンテナ３２からなる。受信モジュール３４は、受信アンテナ３２（受信アンテナアレイ３３）で受信した信号を復調し、カプセル内視鏡１０に対する制御信号を生成する。メモリ３５は、ベスト本体３１から着脱可能であって、受信モジュール３４から出力される情報を記憶する。電源３６は、体外ユニット３０から取り外して充電できる充電池であって、受信モジュール３４に電力を供給する。送信アンテナアレイ３８は、カプセル内視鏡１０に対して、イメージセンサ１１及びＬＥＤ１２の動作を制御するための制御信号を送信する。送信された信号は受信アンテナ１４で受信される。なお、メモリ３５を受信モジュール３４に内蔵させ、受信モジュール３４とパソコン５４を接続することによって、メモリ３５に記録された情報をパソコン５４に転送することとしてもよい。この場合、受信モジュール３４とパソコン５４とのインターフェース接続には、例えば、ＵＳＢ（Ｕｎｉｖｅｒｓａｌ  Ｓｅｒｉａｌ  Ｂｕｓ）、Ｅｔｈｅｒｎｅｔ（登録商標）を用いることができる。
【００１４】
ここで、送信アンテナアレイ３８に代えて、図２（ｃ）に示すように、送信アンテナアレイ１３８を複数の送信アンテナ１３７で構成することもできる。また、受信アンテナ３２、受信モジュール３４、メモリ３５、電源３６、送信アンテナ３７の配置は任意であって、例えば受信アンテナ３２、受信モジュール３４、メモリ３５、電源３６、送信アンテナ３７すべてをベスト本体３１の正面側に配置してもよいし、ベスト本体３１の正面側に送信アンテナ３７を配置し、背面側に受信アンテナ３２、受信モジュール３４、メモリ３５、電源３６を配置することもできる。また、ベスト本体３１上には受信アンテナ３２（受信アンテナアレイ３３）のみ設け、他の構成物を受信アンテナ３２（受信アンテナアレイ３３）と有線接続して携帯可能な別ユニット、例えばベルトポーチ型やショルダーバッグ型として被験者に携帯させればベストの重量が軽くなり、被験者の行動をさらに楽にすることができる。
【００１５】
本実施形態のラジオカプセルシステムは、図３に示すようなファイリングシステム５０を備える。このファイリングシステム５０は、メモリ読取装置５３、パソコン５４、モニタ（表示手段）５５、記憶装置５６（例えばハードディスク）、及び、入力手段５７（例えばキーボード、マウス）を備える。メモリ読取装置５３では、体外ユニット３０から取り外され、メモリ差込口５３ａに差し込まれたメモリ３５に記憶された情報を読み取ることができるとともに、イメージセンサ１１及びＬＥＤ１２の動作を制御するための情報を書き込むことができる。メモリ読取装置５３で読み取られた情報は、ラジオカプセルシステムの使用者によって入力手段５７から入力される情報にしたがって、パソコン５４の制御のもと、モニタ５５に表示され、必要に応じて記憶装置５６に記録される。
【００１６】
図４を参照しつつ、カプセル内視鏡１０の動作について説明する。体外ユニット３０の送信アンテナ３７から送信された制御信号は受信アンテナ１４で受信され、受信ブロック２１へ出力される。受信ブロック２１では、受信アンプ２１ａにより制御信号は増幅され、復調回路２１ｂにより復調され、制御回路１６へ出力される。
【００１７】
制御回路１６では、受信ブロック２１から入力された制御信号に基づき、イメージセンサ１１に対して、撮影の開始及び停止を制御するための信号が出力され、これを受けてイメージセンサ１１では、体腔内壁の画像情報が電気信号に変換される。一方、ＬＥＤ１２に対しては、出射光の光量を制御するための信号が出力される。
【００１８】
イメージセンサ１１で変換された電気信号は、送信ブロック２３に出力される。送信ブロック２３では、信号処理回路２３ａでフレーム画像信号に展開され、変調回路２３ｂで送信用の信号に変調され、ついで送信アンプ２３ｃにより増幅される。変調回路２３ｂには、制御回路１６から応答信号が入力され、変調後に送信アンプ２３ｃにより増幅される。
【００１９】
また、制御回路１６には、３軸加速度センサを備えた姿勢検出回路１３からカプセル内視鏡１０の姿勢情報が入力される。この３軸加速度センサとしては、例えば日立金属株式会社のＨ４８シリーズを用いることができる。この３軸加速度センサは、ピエゾ抵抗型の加速度センサであって、半導体からなる構造体の歪みを電圧の変化として出力する。この電圧の変化は、加速度に比例しており、互いに直交する３軸における加速度を検出することにより、姿勢を検出することができる。より具体的には、この３軸加速度センサは、略立方体状の錘の４辺をそれぞれ梁で支持する構造体を半導体で構成され、この梁部分のそれぞれに複数の入出力端子が固定されたものである。入出力端子を設けたそれぞれの梁部分を、加速度が加わって応力が変化すると抵抗値が変化するピエゾ抵抗素子とみなすことができ、全体としてホイートストン・ブリッジに置き換えて考えることができる。このピエゾ抵抗素子は、引張応力が働くと抵抗が増加し、圧縮応力が働くと抵抗が減少する。この３軸加速度センサは、互いに直交する３軸の軸ごとに、電圧値としての出力を得ることができ、これらの出力に基づき３軸加速度センサの３軸に対する姿勢（傾斜）を検出することができる。
【００２０】
なお、本実施形態では、ピエゾ抵抗素子を利用した３軸加速度センサを用いたが、これに代えて静電容量型や圧電型の３軸加速度センサを用いることもできる。また、３軸加速度センサに代えて、互いに直交する３軸における加速度が検出可能となるように複数の１軸加速度センサを配置して３軸の加速度を検出させてもよい。
【００２１】
つづいて、姿勢検出回路１３による姿勢検出について、図５を参照して、説明する。ここでは、Ｚ軸を重力方向に沿った軸とし、Ｘ軸及びＹ軸を互いに直交する軸であるとし、これらのＸ軸、Ｙ軸、Ｚ軸による座標系における姿勢検出を行う。姿勢検出に先立って、これらのＸ軸、Ｙ軸、Ｚ軸による座標系と、３軸加速度センサ自体が有する座標系と、が一致しているか否かを確認し、一致していなければ、一致した結果が出力されるように姿勢検出回路１３を校正しておく。例えば、重力方向に直交する水平台上に、３軸加速度センサを上向きに静置したときに、姿勢検出回路１３からの出力が３軸とも加速度ゼロ（すなわち傾きゼロ）を示すように、姿勢検出回路１３を調整する。この構成のために、座標変換処理プログラムを姿勢検出回路１３に記憶させてもよい。
【００２２】
また、各軸についての出力電圧は、傾斜角度を横軸にとるとサインカーブを描き、出力電圧ゼロとなる初期の姿勢に対して９０度傾けると最大値（又は最小値）となり、さらに９０度（初期の姿勢に対して１８０度）傾けると出力電圧は再びゼロとなる。さらに、９０度（初期の姿勢に対して２７０度）傾けると最小値（又は最大値）となり、またさらに９０度（初期の姿勢に対して３６０度）傾けるとゼロにもどる。このサインカーブを、姿勢検出回路１３に対して、各軸について、あらかじめ記憶させ、実際の測定で出力された電圧値と対比することにより、各軸における傾斜を検出することができ、この検出結果を総合して３軸加速度センサ並びにこの３軸加速度センサが固定されたカプセル内視鏡１０の姿勢を検出することができる。
【００２３】
姿勢の検出は、まず、制御回路１６の制御により測定ブロックを設定する（ステップＳ１）。つづいて、このブロックにおけるＸ軸データ、Ｙ軸データ、Ｚ軸データを順次検出する（ステップＳ２〜ステップＳ４）。検出されたデータに基づき姿勢検出回路１３の姿勢を検出（算出）する（ステップＳ５）。検出された姿勢信号は、測定ブロックの情報と共に姿勢情報が制御回路１６へ出力される（ステップＳ６）。その後、測定ブロックの設定を解除する（ステップＳ７）。制御回路１６へ出力された姿勢信号は、変調回路２３ｂへ出力されて変調され、送信アンプ２３ｃで増幅されて、送信アンテナ１５により送信される（図４）。
【００２４】
つづいて、図６を参照しつつ、受信モジュール３４の動作について説明する。カプセル内視鏡１０の送信アンテナ１５から送信された信号は被験者の着用している体外ユニット３０に設けられた受信アンテナ３２（受信アンテナアレイ３３）により受信され、受信モジュール３４に設けられたレシーバ４１に入力される。レシーバ４１に入力された信号は、受信モジュール３４内の復調回路４２と位置特定手段４５とに送られる。復調回路４２に送られた信号は、復調回路４２で姿勢信号及び画像信号として復調され、信号処理回路４３に出力される。
【００２５】
位置特定手段４５では、受信した信号の強弱、強い信号を受信した受信アンテナ３２の位置、その受信アンテナ３２の周辺の受信アンテナ３２の受信状態、及び、これらの受信履歴等からカプセル内視鏡１０の発信位置を特定し、位置情報を出力する。この位置情報は受信モジュール３４内のコントローラ４６に送られ、時刻情報とともに信号処理回路４３に送られる。信号処理回路４３に送られた信号は、適切なデータ形式に整えられた後、情報圧縮回路４４で圧縮されてメモリ３５に記憶される。測定観察された画像情報、姿勢情報、位置情報は全てメモリ３５に記憶されるので、被験者はベッドに固定されたり測定機器のそばから離れられないなどの不自由を被ることなく行動できる。
【００２６】
コントローラ４６には、メモリ３５からカプセル内視鏡１０の制御情報が入力され、これにしたがってコントローラ４６はカプセル内視鏡１０のイメージセンサ１１及びＬＥＤ１２を制御するための信号を変調回路４７に出力する。変調回路４７で変調された信号は送信アンプ４８で増幅されて送信アンテナ３７（送信アンテナアレイ３８）から送信される。
【００２７】
本実施形態のラジオカプセルシステムを用いた測定観察について説明する。
カプセル内視鏡１０による測定観察時には、被験者はあらかじめカプセル内視鏡１０を嚥下し体腔内に導入して体外ユニット３０を着用する。嚥下されたカプセル内視鏡１０は、体腔内にて検出した姿勢情報及び画像情報を送信する。送信された信号は、体外ユニット３０上に設けられた受信アンテナ３２（受信アンテナアレイ３３）にて受信される。受信した情報は全てメモリ３５に記憶され、測定観察が終了したところで体外ユニット３０からメモリ３５を取り外してメモリ読取装置５３で読み取り、パソコン５４により情報を解凍し、モニタ５５上に表示、あるいは記憶装置５６に記録してファイリングシステム５０で利用する。このとき、パソコン５４に接続した入力手段５７を利用してさらに情報を付加したり、情報を加工したりして記録あるいは表示することもできる。また、パソコン５４によって、記録した情報の中から必要な情報を抜粋したりして、利用することもできる。
【００２８】
図７に示すように、モニタ５５上には、測定中の経過時間情報とともに、体腔内の画像６０と、模式的に示した姿勢情報６１が表示される。この姿勢情報６１により、所定の方向（例えば重力方向）に対するカプセル内視鏡１０の姿勢を知ることができるため、モニタ５５に表示された体腔内の画像と併せて分析検討することにより、カプセル内視鏡１０が体腔内面とどのような関係にあるかについての情報を得ることができる。また、観察している体壁内面の重力方向に対する傾きを知ることができる。
【００２９】
本発明について上記実施形態を参照しつつ説明したが、本発明は上記実施形態に限定されるものではなく、改良の目的または本発明の思想の範囲内において改良または変更が可能である。
【図面の簡単な説明】
【００３０】
【図１】本発明の実施形態に係るカプセル内視鏡の内部構成を示す図である。
【図２】（ａ）は本発明の実施形態に係る体外ユニットの構成を示す正面図、（ｂ）はその背面図、（ｃ）は送信アンテナアレイを複数の送信アンテナで構成した例を示す背面図である。
【図３】本発明の実施形態に係るラジオカプセルシステムのファイリングシステムの構成を示すブロック図である。
【図４】本発明の実施形態に係るカプセル内視鏡内の信号の流れを示すブロック図である。
【図５】本発明の実施形態に係る姿勢検出回路の動作の流れを示すフローチャートである。
【図６】本発明の実施形態に係る体外ユニットの信号の流れを示すブロック図である。
【図７】本発明の実施形態に係るモニタの表示例を示した図である。
【符号の説明】
【００３１】
１０  カプセル内視鏡（ラジオカプセル）
１１  イメージセンサ
１３  姿勢検出回路（姿勢検出手段）
１４  受信アンテナ（受信手段）
１５  送信アンテナ（送信手段）
３０  体外ユニット
３２  受信アンテナ
３３  受信アンテナアレイ
３４  受信モジュール
３５  メモリ
３６  電源
３７  送信アンテナ
３８  送信アンテナアレイ
５０  ファイリングシステム
５３  メモリ読取装置
５４  パソコン
５５  モニタ（表示手段）
５６  記録装置
５７  入力手段
【図１】
2006239053.tif 000003
【図２】
2006239053.tif 000004
【図３】
2006239053.tif 000005
【図４】
2006239053.tif 000006
【図５】
2006239053.tif 000007
【図６】
2006239053.tif 000008
【図７】
2006239053.tif 000009